(57)【要約】【課題】簡単な構造で、セード内部の電源カバー等による影を発生させず、セードの意匠性を改善するＬＥＤ常夜灯を備えたＬＥＤ照明装置を提供する。【解決手段】複数のＬＥＤ素子が実装されたＬＥＤ基板２と、前記ＬＥＤ基板２を搭載する器具本体１０１と、前記器具本体１０１を覆うセード１０２と、からなるＬＥＤ照明装置において、前記複数のＬＥＤ素子のうち少なくとも１つのＬＥＤ素子１Ｂは、他のＬＥＤ素子１Ａから独立して点灯消灯可能であって、前記ＬＥＤ素子から独立して点灯消灯可能なＬＥＤ素子１Ｂの出射光の拡光を制御する配光制御部材１０が備えられたＬＥＤ照明装置。【選択図】図４
2014035839.tif 000002
【特許請求の範囲】
【請求項１】
複数のＬＥＤ素子が実装されたＬＥＤ基板と、
前記ＬＥＤ基板を搭載する器具本体と、
前記器具本体を覆うセードと、
からなるＬＥＤ照明装置において、
前記複数のＬＥＤ素子のうち少なくとも１つのＬＥＤ素子は、他のＬＥＤ素子から独立して点灯消灯可能であって、
前記ＬＥＤ素子から独立して点灯消灯可能なＬＥＤ素子の出射光の拡光を制御する配光制御部材が備えられたことを特徴としたＬＥＤ照明装置。
【請求項２】
前記配光制御部材は、前記ＬＥＤ素子から独立して点灯消灯可能なＬＥＤ素子の周囲を覆う中空体であることを特徴とする請求項１に記載のＬＥＤ照明装置。
【請求項３】
前記配光制御部材は、両端が開口した中空筒部と、
前記ＬＥＤ基板または前記器具本体に固定される連結部とからなり、
前記中空筒部の一端側の開口端に前記独立して点灯消灯可能なＬＥＤ素子が位置するように、該中空筒部を前記ＬＥＤ基板面に接合し、
前記中空筒部の他端側の開口から、前記独立して点灯消灯可能なＬＥＤ素子の出射光が照射されることを特徴とした請求項１に記載のＬＥＤ照明装置。
【請求項４】
前記中空筒部の他端側の開口に、前記セードに前記独立して点灯消灯可能なＬＥＤ素子の出射光が照射されたときに出現する照射面形状を変える、照射面形状可変部材を取付け自在に備えたことを特徴とした請求項２に記載のＬＥＤ照明装置。
【発明の詳細な説明】
【技術分野】
【０００１】
本発明は、天井に取り付けて使用されるＬＥＤ照明装置に関して、特にＬＥＤ素子を使用した常夜灯に関する。
【背景技術】
【０００２】
近年、環境意識の高まりから、省電力化に優れたＬＥＤ素子を光源に使用した、ＬＥＤ照明装置が盛んに用いられるようになってきた。特に最近は、室内用の照明装置である、天井面に直接取り付けられるシーリングライトや、天井面から吊り下げられるペンダントライトの光源としてもＬＥＤ素子が使用されるようになってきた。そして、これら照明装置には、ＬＥＤ素子を使用した常夜灯が備えられている。
【０００３】
特許文献１に記載されている照明装置（実施の形態２）は、照明モジュールと常夜灯モジュールとを別体に設け、常夜灯モジュールは、矩形板状をなす基板と、該基板に実装された常夜灯ＬＥＤと、該常夜灯ＬＥＤに一定電流を供給する定電流ＩＣとを備えてなる。それによって、照明装置の大きさや形状に応じて、複数個の常夜灯モジュールをアダプタや電源部との仕切枠の周囲に配置でき、電源回路や仕切枠等で遮られたとしても、複数の常夜灯モジュールで室内全体を照明することが可能となる照明装置である。
【０００４】
特許文献２に記載されている照明装置は、環状蛍光ランプが装着され、ＬＥＤランプを常夜灯として用いた照明器具であって、常夜灯は、少なくとも、平面視におけるセード面の略中心位置から環状蛍光ランプの最小内周径までの部分を有効照射範囲とし、常夜灯の点灯時において、常夜灯の有効照射範囲内には影が生じない、又は常夜灯の有効照射範囲内に生じた影の面積が、有効照射範囲の５％よりも小さい或いは９０％より大きいように構成した装置本体の中央部に設けられた光源と、該光源からの光を反射する反射部及び他の反射部を備えており、光源は前記装置本体の外縁部に向けて光を出射し、この光を、反射部及び他の反射部にて反射し、光源及び反射部を覆うように設けたカバーを通して外部に出射して照明する照明装置である。
【先行技術文献】
【特許文献】
【０００５】
【特許文献１】特開２０１１−１３４６８４
【特許文献２】特開２００３−２４２８０８
【発明の概要】
【発明が解決しようとする課題】
【０００６】
しかしながら、特許文献１に記載されている照明装置では、別部材のＬＥＤ基板が複数必要で、別途常夜灯用のＬＥＤ素子を実装する工程が必要となり、生産コストが増加する虞がある。また照明装置の中央に位置する円筒形状の電源カバーによって、常夜灯用のＬＥＤ素子からの出射光が一部遮光され、透光性カバーに影が発生してしまう虞がある。
また、特許文献２の照明装置は、環状蛍光ランプの影が映らないように、該蛍光ランプよりもセードに近い側で、照明装置中央にＬＥＤ素子を配置している。本発明のＬＥＤ照明装置においても同様な位置に常夜灯を配置して、セードに電源カバー等の影が映らないようにすることは可能である。しかしながら、常夜灯用のＬＥＤ素子をセードに近づけると、点光源となりセードに映る照射光が眩しくなるため、セードの形状を丸いドーム型にするなどして、ＬＥＤ素子とセードとの間隔を大きくしなければならず、照明装置の意匠に影響を与える虞がある。また特許文献１と同様に、常夜灯用のＬＥＤ基板を別途設ける必要が生じ、生産性が劣ってしまう虞がある。
【０００７】
本発明は、以上のような課題を解決するため鋭意検討した結果なされたものであり、簡単な構造で、セード内部の電源カバー等による影を発生させず、セードの意匠性を改善するＬＥＤ常夜灯を備えたＬＥＤ照明装置を提供するものである。
【課題を解決するための手段】
【０００８】
請求項１に記載の発明にあたっては、複数のＬＥＤ素子が実装されたＬＥＤ基板と、前記ＬＥＤ基板を搭載する器具本体と、前記器具本体を覆うセードと、からなるＬＥＤ照明装置において、前記複数のＬＥＤ素子のうち少なくとも１つのＬＥＤ素子は、他のＬＥＤ素子から独立して点灯消灯可能であって、前記ＬＥＤ素子から独立して点灯消灯可能なＬＥＤ素子の出射光の拡光を制御する配光制御部材が備えられたことを特徴とするものである。
【０００９】
請求項２に記載の発明にあたっては、前記配光制御部材は、前記ＬＥＤ素子から独立して点灯消灯可能なＬＥＤ素子の周囲を覆う中空体であることを特徴とするものである。
【００１０】
請求項３に記載の発明にあたっては、前記配光制御部材は、両端が開口した中空筒部と、
前記ＬＥＤ基板または前記器具本体に固定される連結部とからなり、前記中空筒部の一端側の開口端に前記独立して点灯消灯可能なＬＥＤ素子が位置するように、該中空筒部を前記ＬＥＤ基板面に接合し、前記中空筒部の他端側の開口から、前記独立して点灯消灯可能なＬＥＤ素子の出射光が照射されることを特徴とするものである。
【発明の効果】
【００１１】
請求項１から３の発明によれば、セードの内側に配置された部材等の影が生じないように、セードを照射できる常夜灯を備え、生産性に優れたＬＥＤ照明装置を提供できる。
【００１２】
請求項４の発明によれば、使用者の要望に応じて照射形状を変えられる意匠性に優れた常夜灯を備えたＬＥＤ照明装置を提供できる。
【図面の簡単な説明】
【００１３】
【図１】本実施形態に係わるシーリングライトの外観図
【図２】本実施形態に係わるシーリングライトの断面図
【図３】本実施形態に係わる器具本の正面図
【図４】本実施形態の常夜灯が実装されたＬＥＤ基板の斜視図
【図５】本実施形態の常夜灯が実装されたＬＥＤ基板の断面図
【図６】本実施形態の配光制御部材を取り付けないときの常夜灯点灯時のセードの写真
【図７】本実施形態の配光制御部材を取り付けたときの常夜灯点灯時のセードの写真
【発明を実施するための形態】
【００１４】
以下に本発明の好適な実施の形態について、図面を参照しながら説明する。なお本実施形態では、天井直付けのシーリングライト１００に常夜灯を設置したが、常夜灯を備えるペンダントライト等の他のＬＥＤ照明装置にも適用できる。
図１は本実施形態に係わるシーリングライト１００の外観図である。図２は本実施形態に係わるシーリングライト１００の断面図である。図３は本実施形態に係わる器具本体１０１の正面図である。図４は本実施形態に係わる常夜灯が実装されたＬＥＤ基板２の斜視図である。図５は本実施形態に係わる常夜灯が実装されたＬＥＤ基板２の断面図である。
【００１５】
シーリングライト１００は、ＬＥＤ素子が実装されたＬＥＤ基板２とＬＥＤ駆動電源部３とを備えた器具本体１０１と、器具本体１０１を覆う透光性のセード１０２と、引っ掛けシーリングアダプタ（図示しない）を収納するアダプタカバー１０３とを備えている。
【００１６】
器具本体１０１は、中央部に引っ掛けシーリングアダプタを挿入するための開口部４が設けられたドーナツ状をしており、ＬＥＤ素子１Ａ、１Ａ、１Ａ・・・が同心円上に実装された複数のＬＥＤ基板２を固定している。そのうちの１つのＬＥＤ基板２に、ＬＥＤ素子１Ａに加えて、常夜灯として使用するＬＥＤ素子１Ｂが実装されている。これらＬＥＤ素子１Ａには昼白色のＬＥＤ素子を使用し、ＬＥＤ素子１Ｂには、電球色のＬＥＤ素子を使用した。
ＬＥＤ基板２は、図３に示したように、台形の板状基板で、８枚使用し連接して円形を成している。
ＬＥＤ駆動電源部３は、商用交流電源を整流、平滑した直流電源をＬＥＤに供給するものであり、アダプタカバー１０３の周囲に配置されている。ＬＥＤ素子１Ａに直流を供給する回路と、ＬＥＤ素子１Ｂに直流を供給する回路の二つの回路を備えている。
【００１７】
セード１０２はドーム形状で、頂部を中心として、アダプタカバー１０３と連通する円形の開口が形成されている。
アダプタカバー１０３は円筒形状で、両端面が開口しており、上端面側が器具本体１０１の開口周縁部に固定され、下端面側がセード１０２の開口部に固定され、更にセンターキャップ１０４で塞がれている。
【００１８】
配光制御部材１０は、図４、図５に示したように、両端部が開口した中空筒部１０Ａと、器具本体に取り付けるための連結部１０Ｂとからなり、光を透過しない黒色顔料が充填されたポリカーボネート樹脂を使用して、一体に成形されている。
図５に示したように、中空筒部１０Ａの開口は、ＬＥＤ素子１Ｂを囲む大きさであり、その一端部が、ＬＥＤ素子１Ｂを囲むようにＬＥＤ基板２に密着して接合している。この接合部からＬＥＤ素子１Ｂの出射光は漏れず、他端の出射開口部からのみ光が出射される。連結部１０Bにも貫通孔があいていて、挿入ピン１１によって、器具本体１０１に固定されている。
なお本実施形態では、中空筒部１０Aの内壁を、略円筒状にしたが、例えば回転放物面や回転楕円面のような湾曲した形状の反射面を形成し、出射光の広がりを制御することもできる。
【００１９】
図６は、配光制御部材１０を取り付けていない場合の、セードに照射された常夜灯の照射形状の模式図で、セードの左側にＬＥＤ駆動電源部３とアダプタカバー１０３との影が生じる。それに対して、図７は、配光制御部材１０を取り付けた場合の、セードに照射された常夜灯の照射形状の模式図であり、影のない円形の照射形状が得られ、更に中空筒部１０Ａの高さを変えることでスポット光の大きさや明るさを調整でき、更に中空筒部１０Ａの内壁の反射度合いを変えることでも明るさを調整できる。
また本実施形態では出射開口部の形状を円形としたが、星型等にして意匠性のある照射形状をセードに映すことができる。
【００２０】
更に配光制御部材１０の出射開口部に、交換可能な照射面形状可変部材（図示しない）を別途取り付けられるようにすることで、使用者の好みに応じた照射形状に変更できる常夜灯となる。例えば、配光制御部材１０の出射開口部外壁にネジ溝を形成し、照射面形状可変部材の内壁にネジ溝を形成することで、自在に取り付け可能な照射面形状可変部材となる。
【符号の説明】
【００２１】
１：ＬＥＤ素子
２：ＬＥＤ基板
３：ＬＥＤ駆動電源部
４：器具本体中央の開口
１０：配光制御部材、１０Ａ：中空筒部、１０B：連結部
１１：挿入ピン
１００：シーリングライト
１０１：器具本体
１０２：セード
１０３：アダプタカバー
１０４：センターキャップ
【図１】
2014035839.tif 000003
【図２】
2014035839.tif 000004
【図３】
2014035839.tif 000005
【図４】
2014035839.tif 000006
【図５】
2014035839.tif 000007
【図６】
2014035839.tif 000008
【図７】
2014035839.tif 000009